(57)【特許請求の範囲】
【請求項１】
本体ケースと、当該本体ケースに蛍光灯のソケットを取り付けるソケット取付部と、前記ソケットを被覆する被覆位置と、前記ソケットを露出する露出位置との二位置間をスライド移動可能なソケットカバーとを備えた蛍光灯ユニットにおけるソケットカバーの取付構造体において、
前記ソケット取付部は、前記ソケットを取り付ける円形のソケット取付体と、当該ソケット取付体を前記本体ケースにおいて支持する支持体と、当該支持体を前記本体ケースに取り付ける係止手段とを備え、
前記ソケットカバーは、前記ソケットをこれらに沿って覆うことができるカバー本体と、前記支持体を挟み込むように対向して設けられたスライド部と、当該スライド部を前記本体ケースに対して摺動可能に支持する摺動支持部とを備え、
前記スライド部に設けられ前記ソケットカバーが前記被覆位置に位置する場合に係止状態を構成する係止穴と、前記本体ケースに前記ソケットを取付固定するためのソケット取付部の支持体に設けられ前記係止穴と嵌合して係止状態とする係止機構とを設け、
当該係止機構は、前記ソケットカバーの移動に従動して回転する球状の球体と、当該球体を前記係止穴に向かって押す弾性力を備えた弾性力復帰手段とからなることを特徴とする蛍光灯ユニットにおけるソケットカバーの取付構造体。
【請求項２】
前記弾性力復帰手段は、コイルバネから構成されたことを特徴とする請求項１に記載の蛍光灯ユニットにおけるソケットカバーの取付構造体。
【請求項３】
前記係止手段は、本体ケースに設けられた案内手段に摺動可能に案内されるとともに、任意の位置で固定できる固定手段を備えたことを特徴とする請求項１又は請求項２に記載の蛍光灯ユニットにおけるソケットカバーの取付構造体。
【請求項４】
前記スライド部に対向する前記支持体の一対の面は、相互に平行に設けられるとともに、前記一対のスライド部の対向する一対の面も、相互に平行に設けられることを特徴とする請求項１乃至請求項３のいずれか１項に記載の蛍光灯ユニットにおけるソケットカバーの取付構造体。
【請求項５】
前記係止機構は前記支持体の一方の側にのみ設けられていることを特徴とする請求項１乃至請求項４のいずれか１項に記載の蛍光灯ユニットにおけるソケットカバーの取付構造体。
【発明の詳細な説明】
【技術分野】
【０００１】
本発明は、蛍光灯を用いる照明器具である蛍光灯ユニットにおけるソケットカバーの取付構造体に関するものである。
【背景技術】
【０００２】
従来から蛍光灯のソケットにはカバーが装着され、そのソケットのカバーがソケットと蛍光灯の一部を覆う被覆位置と、蛍光灯全体を露出し、ソケットの一部が現れる露出位置とに移動するものがある（例えば、特許文献１に記載）。また、これらの中には、蛍光灯ユニット全体の組み立て工程が容易となるように、蛍光灯ユニットの枠に複数のレールを設け、そのレールに沿って装着され固定されるソケット支持台と、ソケットカバーがそのレール上に沿って動き、ソケットと蛍光灯の一部を覆う被覆位置と、蛍光灯全体を露出し、ソケットの一部が現れる露出位置とに移動するようになっているものもある（例えば、特許文献２に記載）。
【０００３】
これら構造により蛍光灯の保護や落下防止となると共に、蛍光灯の脱着が容易に行えるものである。また、デザイン上の自由度や機能美も向上することになり、車両用の照明や店舗での照明において直接照明はもちろん間接照明にも採用されている。
【０００４】
【特許文献１】実開平４−１１６３０８号公報（図３乃至図５）
【特許文献２】特開２００６−４９０４２号公報（図２）
【発明の開示】
【発明が解決しようとする課題】
【０００５】
しかしながら、従来の蛍光灯ユニットにおけるソケットカバーの取付構造体には、以下のような問題があった。
従来のソケットカバーの取付構造体では、プラスチック又は金属の凹凸の嵌め合わせによって係止状態と非係止状態を構成している。図６（Ａ）には特許文献１のソケットカバー１２０の係止状態が示されている。係止状態を解除してソケットカバー１２０を移動するには、爪部１０８を矢印の方向へ広げることにより係止状態を緩めてからソケットカバー１２０を移動させるようにすることが必要である。また、移動後に、爪部１０８が穴１０９に嵌合し係止した後の解除も、爪部１０８を広げ、係止状態を解除することが必要である。
【０００６】
また、図６（Ｂ）には特許文献２のソケットカバー１２０の係止状態が示されている。この係止状態を解除してソケットカバー１２０を移動するには、ソケットカバー１２０を矢印の方向に両側から押して係止凹部１２２と係止突部１２５との係止状態を緩めてから移動させることが必要となる。
【０００７】
以上のように、ソケットカバーを被覆位置と露出位置とに移動させるに際し、係止状態を解除させる動作が必要となり、蛍光灯ユニットの殆どが、高所に設けられていることから、力が入り難く係止状態が強固になされている場合には蛍光灯の交換作業の作業性が更に不便なものとなっていた。
【０００８】
そこで、本発明は、ソケットカバーを移動させるに際して、係止状態の解除動作を行う必要のない蛍光灯ユニットにおけるソケットカバーの取付構造体を提供することを目的とする。
【課題を解決するための手段】
【０００９】
上記課題を解決するために、請求項１記載の蛍光灯ユニットにおけるソケットカバーの取付構造体は、本体ケースと、当該本体ケースに蛍光灯のソケットを取り付けるソケット取付部と、前記ソケットを被覆する被覆位置と、前記ソケットを露出する露出位置との二位置間をスライド移動可能なソケットカバーとを備えた蛍光灯ユニットにおけるソケットカバーの取付構造体において、前記ソケット取付部は、前記ソケットを取り付ける円形のソケット取付体と、当該ソケット取付体を前記本体ケースにおいて支持する支持体と、当該支持体を前記本体ケースに取り付ける係止手段とを備え、前記ソケットカバーは、前記ソケットをこれらに沿って覆うことができるカバー本体と、前記支持体を挟み込むように対向して設けられたスライド部と、当該スライド部を前記本体ケースに対して摺動可能に支持する摺動支持部とを備え、前記スライド部に設けられ前記ソケットカバーが前記被覆位置に位置する場合に係止状態を構成する係止穴と、前記本体ケースに前記ソケットを取付固定するためのソケット取付部の支持体に設けられ前記係止穴と嵌合して係止状態とする係止機構とを設け、当該係止機構は、前記ソケットカバーの移動に従動して回転する球状の球体と、当該球体を前記係止穴に向かって押す弾性力を備えた弾性力復帰手段とからなることを特徴とする。
また、請求項２記載の蛍光灯ユニットにおけるソケットカバーの取付構造体は、請求項１に記載の蛍光灯ユニットにおけるソケットカバーの取付構造体の構成に加え、前記弾性力復帰手段は、コイルバネから構成されたことを特徴とする。
請求項３記載の蛍光灯ユニットにおけるソケットカバーの取付構造体は、請求項１又は請求項２に記載の蛍光灯ユニットにおけるソケットカバーの取付構造体の構成に加え、前記係止手段は、本体ケースに設けられた案内手段に摺動可能に案内されるとともに、任意の位置で固定できる固定手段を備えたことを特徴とする。
請求項４記載の蛍光灯ユニットにおけるソケットカバーの取付構造体では、請求項１乃至請求項３のいずれか１項に記載の蛍光灯ユニットにおけるソケットカバーの取付構造体の構成に加え、前記スライド部に対向する前記支持体の一対の面は、相互に平行に設けられるとともに、前記一対のスライド部の対向する一対の面も、相互に平行に設けられることを特徴とする。
請求項５記載の蛍光灯ユニットにおけるソケットカバーの取付構造体では、請求項１乃至請求項４のいずれか１項に記載の蛍光灯ユニットにおけるソケットカバーの取付構造体の構成に加え、前記係止機構は前記支持体の一方の側にのみ設けられていることを特徴とする。
【発明の効果】
【００１０】
請求項１に記載の蛍光灯ユニットにおけるソケットカバーの取付構造体は、本体ケースに取り付けた蛍光灯のソケットを被覆する被覆位置と、前記ソケットを露出する露出位置との二位置間をスライド移動可能なソケットカバーを前記本体ケースに取り付けた蛍光灯ユニットにおけるソケットカバーの取付構造体において、前記ソケットカバーが前記被覆位置に位置する場合に係止状態を構成する係止穴と、前記本体ケースに前記ソケットを取付固定するためのソケット取付部に設けられ前記係止穴と嵌合して係止状態を構成する係止機構とを設け、当該係止機構は、前記ソケットカバーの移動に従動して回転する球状の球体と、当該球体を前記係止穴に向かって押す弾性力を備えた弾性力復帰手段とを設けたので、ソケットカバーを移動をさせるだけの動作でソケットカバーとソケット取付部の係合が力を要することなく解除され、ソケットカバーを容易に移動させることが出来る。また、係止機構の弾性力により安定した係止強度が保たれ、ソケットカバーとソケット取付部の係止状態が安定して保たれている。
以上の構成により作業性が向上し蛍光灯の取り外し作業が簡便となる。
【発明を実施するための最良の形態】
【００１１】
図１乃至図４に基づいて、本実施形態を以下に説明する。
図１（ａ）は、本実施形態のソケットカバー２０が被覆位置にある蛍光灯ユニット１００を示す正面図である。図１（ｂ）は、本実施形態のソケットカバー２０が被覆位置にある蛍光灯ユニット１００を示す平面図である。図２（ａ）は、本実施形態のソケットカバー２０を示す左側面図である。図２（ｂ）は、本実施形態のソケットカバー２０を示す正面図である。図３（ａ）は、本実施形態のソケット取付部３０を示す左側面図である。図３（ｂ）は、本実施形態のソケット取付部３０を示す正面図である。図４は、図１（ａ）に示す蛍光灯ユニット１００の右側面図である。
【００１２】
図１（ａ）及び図１（ｂ）に示すように、蛍光灯ユニット１００は、本体ケース５０に蛍光灯１と、トランスユニット７０と、ソケットカバー体１０とが組付けられ構成されている。
蛍光灯１は、蛍光塗料が発光する長軸管状の蛍光ガラス管２と、ソケット５に接続される円筒状のランプ口金３とで構成されており、蛍光灯ユニット１００の両側に設けられたソケットカバー体１０の間に装着されている。  
【００１３】
図１又は図４に基づいて本体ケース５０を詳述する。
本体ケース５０は、蛍光灯ユニット１００全体を店舗の内壁・外壁や鉄道や車両の壁面や天井壁面に装着することが出来るようにユニット固定片５５が、又そのユニット固定片５５にはビスで固定できるようにユニット固定穴５６が設けられている。ユニット固定片５５と段差をおいて天井飾り部５３が設けられ天井面としての飾り部となっている。その天井飾り部５３の右上方には、蛍光灯１の光を上下方向に反射させるために、蛍光灯１を覆うような形状で蛍光灯ユニット１００の長手方向に沿って上反射板５１と下反射板５２とが設けられている。
【００１４】
また、上反射板５１と下反射板５２との間には、蛍光灯ユニット１００の長手方向に沿って一部を切り欠いた断面円状の溝が中央と上下に設けられ、それぞれ中央レール５８と上下レール５７となっている。ソケット取付部３０を溝に沿って移動可能とするため、中央レール５８は、ソケット取付部３０のソケットレール足３３と嵌合する構造となっている。また、同様にソケット取付部３０を上下の溝に沿って移動可能とするため、上下レール５７は、ソケットカバー２０の２本のソケットカバーレール足２１と嵌合する構造となっている。上下レール５７のソケットカバー２０付近にはソケットカバー２０が被覆位置から更に蛍光灯ユニット１００の中央に移動しないように若しくは上下レール５７から離脱しないように、棒状のストッパー５９が溝に起立して埋め込まれている。
更に、上下レール５７より内部には、蛍光灯ユニット１００の長手方向に沿って溝が形成され、蛍光灯用ハーネス７９が収納できる空間が設けられている。
【００１５】
図１又は図４に基づいてトランスユニット７０を詳述する。
トランスユニット７０は、トランス７１を内蔵するボックス状のトランスケース７７と、トランス７１から延びるハーネス７３と、他の蛍光灯ユニット１００や電源と連結するコネクタ７５とで構成されている。  
【００１６】
トランスケース７７は、蛍光灯ユニット１００のほぼ中央に金属のＬ字状のトランス固定板７６によって、ビスで本体ケース５０に固定されている。ハーネス７３は、トランス７１からコネクタ７５間をハーネスカバー７２によって被覆されている。
コネクタ７５は、金属のＬ字状のコネクタ取付板７４によって、ビスで本体ケース５０に固定されている。
【００１７】
また、トランス７１からはハーネス７３だけでなくソケット５に接続される蛍光灯用ハーネス７９も延設されている。
本体ケース５０やトランスユニット７０の外周には外部と内部に温度差が生じ結露を発生させないように断熱材６０が取り付けられている。
【００１８】
図１乃至図４に基づいて取付構造体としてのソケットカバー体１０を詳述する。
ケットカバー体１０は、ソケット５と、ソケットカバー２０と、ソケット取付部３０とで構成されている。
ランプ口金３と接続されるソケット５は、円筒状に形成され後述するソケット取付部３０にビスで固定され、ソケット５内部で蛍光灯用ハーネス７９と接続することで蛍光灯用ハーネス７９を介してトランス７１から蛍光灯１に電力を供給している。
【００１９】
ソケットカバー２０は、図２に示すようにソケット５や蛍光灯１を覆うように断面円状であって筒状のカバー体２３が設けられており、そのカバー体２３は一部上方を切り欠いて形成されている。その切り欠いた上方の両側には、ソケットカバーレール足２１が２本設けられ、本体ケース５０の上下レール５７に嵌合する形状となっている。一方のソケットカバーレール足２１とカバー体２３との中間部分には、係止状態を構成するための係止穴２２が穿設されている。
【００２０】
ソケット取付部３０は、図３又は図４に示すように、ソケット５の形状に合わせ断面円状であって筒状のソケット取付体３１が設けられており、そのソケット取付体３１は上方にソケット取付部３０を支持するための支持体３４が設けられている。ソケット取付体３１の内周には、ソケット５を装着するためのソケット固定片３８が厚み方向に亘って形成されており、そのソケット固定片３８に沿うように、ビス又はボルトによりソケット５とソケット蓋３９を共に固定するためのソケット固定溝３２が形成されている。
【００２１】
支持体３４の上方中央には、ソケットレール足３３が２本設けられ、本体ケース５０の中央レール５８に嵌合する形状となっている。ソケットレール足３３は、中央レール５８上にビスで固定できるように、固定孔３７が穿設されている。また、支持体３４の中間部分には係止状態を構成するためのロック構造体４０が設けられている。
【００２２】
係止機構としてのロック構造体４０は、ロック用ボール４１とバネ４２が内蔵されている。ロック用ボール４１は、球状の金属の球体で構成されており、バネ４２は、金属製のスプリング状に構成されている。
ロック用ボール４１は、バネ４２の弾性力によって常に支持体３４内部から外部に向かい押されており、ロック用ボール４１の一部が支持体３４外壁より突出している。また、ロック用ボール４１は、図３にある位置以上に支持体３４外部へ露出しないように支持体３４の外壁で堰止められ、バネ４２のスプリング状の端円で保持されている。
ロック構造体４０の内部は、ロック用ボール４１がバネ４２の弾性力に抗して内部に入り込むことが出来るようにロック用ボール４１の円周と同一よりやや大きめの円筒状の空間となっている。
【００２３】
（本実施形態の作用及び効果）
以下、本実施形態の作用及び効果を図５に基づいて説明する。
図５（ａ）には、本実施形態のソケットカバー２０が被覆位置にある蛍光灯ユニット１００の一部を示す正面図が示され、図５（ｂ）には、本実施形態のソケットカバー２０が被覆位置にある蛍光灯ユニット１００の一部を示す平面図が示され、図５（ｃ）には、本実施形態のソケットカバー２０が被覆位置にあるソケット取付部３０のロック構造体４０の拡大作用図が示されている。
被覆位置では、ソケット５全体と、蛍光ガラス２の一部が被覆されている。
【００２４】
図５（ａ）乃至図５（ｃ）はソケットカバー２０が被覆位置にある係止状態を示しており、ソケットカバー２０に設けられている係止穴２２に、ソケット取付部３０にあるロック構造体４０のロック用ボール４１が係合した状態となっている。ロック用ボール４１は、バネ４２の弾性力により常に係止穴２２の方向に押されているため、ソケットカバー２０が、ソケット取付部３０にあるロック構造体４０により係止されている。このような構造により、ロック用ボール４１と係止穴２２の係合を解除する程度に弾性力を抗して、ロック用ボールがソケット取付部３０の外壁まで沈み込む程度の力を掛けない限りは、ソケットカバー２０が動くことがなく係止される。
また、バネ４２の弾性力により常に係止穴２２の方向に押されているために多少の振動があっても係止状態が解除されることはなく、安定した係止状態が保たれることになる。
【００２５】
また、図５（ｄ）には、本実施形態のソケットカバー２０が露出位置にある蛍光灯ユニット１００の一部を示す正面図が示され、図５（ｅ）には、本実施形態のソケットカバー２０が露出位置にある蛍光灯ユニット１００の一部を示す平面図が示され、図５（ｆ）には、本実施形態のソケットカバー２０が露出位置にあるソケット取付体３０のロック構造体４０の拡大作用図が示されている。
露出位置では、ソケットカバー２０の一部と、蛍光灯１全体が露出している。
【００２６】
図５（ｄ）乃至図５（ｆ）はソケットカバー２０が露出位置にある係止解除状態を示しており、ソケットカバー２０に設けられている係止穴２２と、ソケット取付部３０にあるロック構造体４０のロック用ボール４１とが離れた状態となっている。
【００２７】
前述した被覆位置から露出位置へ変化するまでの間に係止状態の解除が行われるが、被覆位置からソケットカバー２０を上下レール５７に沿ってスライド移動させるとき、スライド移動に伴い球体４１が、回転し係止解除の案内をすると同時にバネの弾性力に抗じて球体４１が沈み込み係止穴２２から外れてゆく。そして、球体４１は、ソケットカバー２０の内面に沿って回転し、ソケットカバー２０を案内する。
【００２８】
このとき、球体４１は、球状であるため、ソケットカバー２０が移動する際の摩擦抵抗は、面ではなく点で接触するために抵抗が少なく、また、球体４１が自由に回転することができるために、更に抵抗が少なくなる。従って、小さな力でソケットカバー２０の係止状態を解除することができる。
以上のことからソケットカバー２０を移動させる動作だけで被覆位置での係止状態を解除することができるので、蛍光灯１の交換作業が容易となる。
【００２９】
また、この移動動作において、もし被覆位置を通り過ぎてもソケットカバー２０は、ストッパー５９に遮られ被覆位置から更に蛍光灯ユニット１００の中央へ移動することはない。又、逆に、もし露出位置を通り過ぎてもソケットカバー２０は、ストッパー５９に遮られ露出位置から更に蛍光灯ユニット１００の外部即ち蛍光灯ユニット１００から外れることはない。
【００３０】
（１）以上のことからソケットカバー２０を移動させる動作だけで被覆位置での係止状態を解除することができるので、特に係止状態を解除する動作を行わなくともソケットカバー２０の移動が簡単に行え、蛍光灯１の交換作業が容易となる。
【００３１】
（２）ソケットカバー２０の係止状態を解除する際、球体４１の球形状によりソケットカバー２０の内面との接触面が少なく摩擦抵抗が少ないため、小さな力でも係止状態の解除ができる。
【００３２】
（３）ソケットカバー２０の係止状態を解除する際、ソケットカバー２０に従動して球体４１が回転するため、ソケットカバー２０の内面との摩擦抵抗が少くなり小さな力でも係止状態の解除ができる。
【００３３】
（４）ソケットカバー２０の係止状態を解除した後も、ソケットカバー２０に従動して球体４１が回転することにより、ソケットカバー２０の内面との摩擦抵抗が少くなりスムーズにソケットカバー２０を露出位置に案内誘導することができ、また少ない力での移動が可能となる。
【００３４】
（５）上記（４）の効果に加え、ソケットカバー２０が上下レール５７上に沿って移動するため、偏って移動し難くなることはなく、更にソケットカバー２０は容易に移動可能となる。
【００３５】
（６）バネ４２の弾性力により常に係止穴２２の方向に押されているため、多少の振動があってもソケットカバー２０とロック構造体４０の係止状態が簡単に解除されることはない。特に鉄道車両、自動車、大型自動車、飛行機に代表される乗り物に使用されることで、上記の効果が更に発揮される。
【００３６】
（７）図６の従来例のようにソケットカバー１２０に同一部材で係止爪１０８を設ける場合とは異なり、ロック構造体４０をソケットカバー２０やソケット取付部３０とは別の部材で構成しているため、係止状態の強度調整が可能である。例えば、バネ４２強度の変更により係止状態の強度が変更できる。
【００３７】
（他の実施形態への変更例）
以上説明した実施形態を他の実施形態へ変更した例を以下に示す。
・以上の本実施形態では、弾性力復帰手段をスプリングによるバネ４２で構成したが、板バネや弾性樹脂や油圧などの弾性力が発生するものであれば、特に素材又形状を限定する必要はない。
【００３８】
・以上の本実施形態では、ロック構造体４０（係止機構）をソケット取付部３０に設けた例を示したが、ソケットカバー２０にロック構造体４０（係止機構）を設け、係止穴２２をソケット取付部３０又は本体ケース５０に設ける構造であっても良く、上記（１）乃至（７）と同様な効果が得られる。
【００３９】
・以上の本実施形態では、ロック構造体４０（係止機構）をソケット取付部３０に組み込んだ状態のものを示したが、修理による交換や係止強度の調整ができるように、ロック構造４０体自体が脱着されるものであっても良い。
【００４０】
・以上本実施形態の蛍光灯ユニット１００におけるソケットカバー２０の取付構造体は、鉄道の車両、自動車、乗り物、建物内や街頭などに用いられる蛍光灯１に使用することができる。
【図面の簡単な説明】
【００４１】
【図１】（ａ）本実施形態のソケットカバー２０が被覆位置にある蛍光灯ユニット１００を示す正面図である。          （ｂ）本実施形態のソケットカバー２０が被覆位置にある蛍光灯ユニット１００を示す平面図である。
【図２】（ａ）本実施形態のソケットカバー２０を示す左側面図である。          （ｂ）本実施形態のソケットカバー２０を示す正面図である。
【図３】（ａ）本実施形態のソケット取付部３０を示す左側面図である。          （ｂ）本実施形態のソケット取付部３０を示す正面図である。
【図４】蛍光灯ユニット１００の右側面図である。
【図５】（ａ）本実施形態のソケットカバー２０が被覆位置にある蛍光灯ユニット１００の一部を示す正面図。          （ｂ）本実施形態のソケットカバー２０が被覆位置にある蛍光灯ユニット１００の一部を示す平面図。            （ｃ）本実施形態のソケットカバー２０が被覆位置にあるソケット取付部３０のロック構造体４０の拡大作用図である。          （ｄ）本実施形態のソケットカバー２０が露出位置にある蛍光灯ユニット１００の一部を示す正面図。          （ｅ）本実施形態のソケットカバー２０が露出位置にある蛍光灯ユニット１００の一部を示す平面図。          （ｆ）本実施形態のソケットカバー２０が露出位置にあるソケット取付部３０のロック構造体４０の拡大作用図である。
【図６】（Ａ）（Ｂ）従来のソケットカバー１２０の係止状態を解除するための作用図。
【符号の説明】
【００４２】
１．・・・蛍光灯、２・・・蛍光ガラス管、３・・・ランプ口金、４・・・ランプピン、５・・・ソケット、
１０・・・ソケットカバー体（取付構造体）、
２０・・・ソケットカバー、２１・・・ソケットカバーレール足、２２・・・係止穴、
２３・・・カバー体、２４・・・固定ビス、
３０・・・ソケット取付部、３１・・・ソケット取付体、
３２・・・ソケット固定溝、３３・・・取付部レール足、３４・・・支持体、
３７・・・固定孔、３８・・・ソケット固定片、３９・・・ソケット蓋
４０・・・ロック構造体（係止機構）、４１・・・ロック用ボール（球体）、
４２・・・バネ（弾性力復帰手段）、
５０・・・本体ケース、５１・・・上反射部、５２・・・下反射部、
５３・・・天井飾り部、５４・・・引掛部、５５・・・ユニット固定片、
５６・・・ユニット固定孔、５７・・・上下レール、５８・・・中レール、
５９・・・ストッパ、
６０・・・断熱材、
７０・・・トランスユニット、７１・・・トランス、７２・・・ハーネスカバー、
７３・・・ハーネス、７４・・・コネクタ取付板、７５・・・コネクタ、
７６・・・トランス固定板、７７・・・トランスケース、７９・・・蛍光灯用ハーネス、
１００・・・蛍光灯ユニット。
【図１】
0004797762.tif 000002
【図４】
0004797762.tif 000003
【図２】
0004797762.tif 000004
【図３】
0004797762.tif 000005
【図５】
0004797762.tif 000006
【図６】
0004797762.tif 000007